(57)【要約】  導光板（６４）と拡散性シート（７０）とが備えられ、出射面（８０）から出射される光が液晶表示素子（２０）を照らすバックライトユニット（６０）であって、出射面（８０）から出射される光の半値幅が４４度以下である。
2009101746.tif 000002
【特許請求の範囲】
【請求項１】
導光板と拡散性シートとが備えられ、出射面から出射される光が液晶表示素子を照らすバックライトユニットであって、
前記出射面から出射される光の半値幅が４４度以下であることを特徴とするバックライトユニット。
【請求項２】
前記半値幅が２０度以上４０度以下であることを特徴とする請求項１に記載のバックライトユニット。
【請求項３】
前記拡散性シートのヘイズ値が、８０％以下であることを特徴とする請求項１又は２に記載のバックライトユニット。
【請求項４】
前記拡散性シートのヘイズ値が、３０％以上７６％以下であることを特徴とする請求項３に記載のバックライトユニット。
【請求項５】
前記導光板と前記拡散性シートとの間には、プリズムシートが設けられていることを特徴とする請求項１から４のいずれか１項に記載のバックライトユニット。
【請求項６】
液晶表示素子の裏面に、請求項１から５のいずれか１項に記載のバックライトユニットが設けられていることを特徴とする液晶表示装置。
【請求項７】
前記液晶表示素子と前記バックライトユニットとの間に、輝度向上フィルムが備えられていることを特徴とする請求項６に記載の液晶表示装置。
【請求項８】
前記液晶表示素子が垂直配向型であり、
前記液晶表示素子に含まれる液晶層が、平面視において、複数の異なる配向領域に分割されていることを特徴とする請求項６又は７に記載の液晶表示装置。
【請求項９】
前記液晶表示素子が垂直配向型であり、
前記液晶表示素子に含まれる液晶層の液晶分子が、平面視において、全方位方向に配向しており、
前記液晶層の両面に、円偏光板が備えられていることを特徴とする請求項６又は７に記載の液晶表示装置。
【請求項１０】
前記液晶表示素子がねじれネマチック型であることを特徴とする請求項６又は７に記載の液晶表示装置。
【発明の詳細な説明】
【技術分野】
【０００１】
本発明は、バックライトユニット及び液晶表示装置、特には、高いコントラストでの表示を可能にするバックライトユニット及び液晶表示装置に関するものである。
【背景技術】
【０００２】
従来から、表示装置として、液晶表示装置が広く使われている。この液晶表示装置は、一般に液晶表示素子とバックライトユニットとを主な構成要素としている。そして、液晶表示素子は、液晶層が透明基板により挟持された構造を有し、各々の透明基板には偏光板が設けられている。また、バックライトユニットは、液晶表示素子に含まれる液晶表示パネルをその背面から照射するものであり、光源、導光板及び拡散板等により構成されている。【０００３】
また、昨今、液晶表示装置に対して、さらなる高輝度化や高コントラスト化等が要求されている。そして、このような要求に対して、種々の技術が提案されている。【０００４】
（特許文献１）
まず、特許文献１に記載された技術について説明する。【０００５】
特許文献１に記載された液晶表示素子（液晶表示装置）には、明るさ等を向上させる目的で、住友３Ｍ社製の輝度向上フィルムであるＢＥＦ（商品名、Ｂｒｉｇｈｔｎｅｓｓ  Ｅｎｈａｎｃｅｍｅｎｔ  Ｆｉｌｍの略称）が用いられている。また、バックライトユニット側の偏光フィルム（偏光板）には光拡散手段が設けられている。【０００６】
以下、従来の液晶表示装置の構成を示す断面図である図１６に基づいて具体的な構成を説明する。すなわち、特許文献１に記載の液晶表示装置１３０は、ＴＮ（Ｔｗｉｓｔｅｄ  Ｎｅｍａｔｉｃ）液晶層１０６が、基板（透明基板）１０２ａ・１０２ｂに挟持され、さらに偏光フィルム１０１ａ・１０１ｂが設けられた構成を有している。そして、背面にはバックライトユニット１０８が配置されている。また、このバックライトユニット１０８は、反射板１１３、下拡散性シート１１２、導光板１１１及びＢＥＦ１１０を主構成要素としている。【０００７】
さらに、前記バックライトユニット１０８側の基板１０２ｂと偏光フィルム１０１ｂとの間には、散乱物質混入膜１０９が設けられている。【０００８】
（特許文献２）
つぎに、特許文献２に記載された技術について説明する。【０００９】
特許文献２に記載された液晶表示装置では、ツイスト配向したネマチック液晶（液晶層）を挟持してなる液晶素子（液晶表示素子）において、偏光板と導光板との間に設けられた散乱層が、偏光状態をほぼ維持するような特性を備えている。【００１０】
そして、かかる構成によって、明るい表示の実現を可能としている。【００１１】
（特許文献３）
つぎに、特許文献３に記載された技術について、図１７に基づいて説明する。図１７は、特許文献３に記載された液晶表示装置の構成を示す断面斜視図である。【００１２】
図１７に示すように、特許文献３に記載された液晶表示装置２３０は、液晶表示素子２０１とバックライト（バックライトユニット）２０４とを備え、その間に、２枚のレンズフィルム２０２・２０３が設けられている。そして、かかるレンズフィルム２０２・２０３は、そのプリズムの配列方向２０６・２０７が互いに直交するように重ねられ、かつ、液晶表示素子２０１側のレンズフィルム２０２のプリズムの配列方向２０６が、液晶表示素子２０１の入射光側の偏光板の透過軸２０５と平行である。【００１３】
そして、かかる構成によって、高輝度な表示を実現している。【００１４】
（特許文献４）
つぎに、特許文献４に記載された技術について図１８に基づいて説明する。図１８は、特許文献４に記載された液晶表示装置の構成を示す断面斜視図である。【００１５】
図１８に示すように、特許文献４に記載された液晶表示装置３３０は、入射偏光板（偏光板）３０５と出射偏光板（偏光板）３０６とに挟まれた液晶パネル３０４と、その背後に設けられたバックライト用光源（光源）３０１とを備え、さらに、入射偏光板３０５とバックライト用光源３０１との間にはプリズムシート３０８が設けられている。【００１６】
そして、前記プリズムシート３０８の稜線方向Ａ０と入射偏光板３０５の透過軸方向Ｂ０とが直交しており、かかる構成によって、高輝度化を実現している。【００１７】
（特許文献５）
つぎに、特許文献５に記載された技術について説明する。【００１８】
特許文献５に記載された液晶表示装置では、バックライトユニットにおける面導光体（導光板）の光出射面側に、偏光成分を選択的に反射・透過することができる偏光分離面等が設けられている。【００１９】
そして、かかる構成によって、特に表示面の法線方向の輝度を向上させている。
【特許文献１】日本国公開特許公報「特開２００３−１２１８４７号公報（公開日：２００３年４月２３日）」
【特許文献２】日本国公開特許公報「特開２００３−１５１３３号公報（公開日：２００３年１月１５日）」
【特許文献３】日本国公開特許公報「特開平８−２２０００号公報（公開日：１９９６年１月２３日）」
【特許文献４】日本国公開特許公報「特開２０００−１２２０４６号公報（公開日：２０００年４月２８日）」
【特許文献５】日本国公開特許公報「特開２００３−８４２８３号公報（公開日：２００３年３月１９日）」
【発明の開示】
【００２０】
しかしながら、上記従来の液晶表示装置は、コントラストが十分ではないという問題点を有している。
【００２１】
特には、例えばＭＶＡモードの液晶表示素子のような高コントラストでの表示が可能な液晶表示素子が用いられた液晶表示装置では、前記液晶表示素子が有している高コントラスト特性を十分に発揮させることが困難であった。以下、説明する。
【００２２】
（液晶表示装置の構成）
図１５は、液晶表示装置１０の一構成例の概略を示す断面図である。
【００２３】
図１５に示すように、液晶表示装置１０は、液晶表示素子２０と、その背後に設けられたバックライトユニット６０とからなる。
【００２４】
そして、前記液晶表示素子２０は、液晶層２２が第１基板２４と第２基板２６とに挟まれた構造を有しており、前記第１基板２４には第１位相差板３０及び第１偏光板３４が順に設けられており、他方前記第２基板２６には、同様に第２位相差板３２及び第２偏光板３６が順に設けられている。
【００２５】
さらに、前記第１偏光板３４と、前記バックライトユニット６０との間には輝度向上フィルム４０が設けられている。
【００２６】
また、前記バックライトユニット６０には、光源（図示せず）、導光板（図示せず）、２枚のプリズムシート（第１プリズムシート６６と第２プリズムシート６８）、及び、上拡散性シート７０が備えられている。
【００２７】
（光の進行プロセス）
つぎに、前記液晶表示装置１０における光の進行プロセスについて説明する。
【００２８】
すなわち、バックライトユニット６０から、前記液晶表示素子２０に向かって垂直に出射された光（図１５に示すＬ１）は、液晶層２２のオン・オフにしたがって液晶表示装置１０の外部に出射されるか否かが切り換えられる。すなわち、液晶層２２がオンの場合は、光Ｌ１は液晶表示素子２０で遮断されず、液晶表示装置１０の外部に出射される。
【００２９】
他方、液晶層２２がオフの場合には、光Ｌ１は液晶表示素子２０で遮断され、液晶表示装置１０の外部には出射されない。
【００３０】
そして、前記液晶層２２がオンの場合の出射光の光量（オン光量）と、前記液晶層２２がオフの場合の出射光の光量（オフ光量）との比（オン光量／オフ光量）がコントラスト値となる。
【００３１】
そして、通常、液晶表示素子２０に対して法線方向から入射した光Ｌ１は、前記液晶層２２のオン・オフにしたがい、高いオン光量及び低いオフ光量を実現することができる。
【００３２】
特に液晶表示素子２０が例えば前記ＭＶＡモードの液晶表示素子２０のような高コントラストでの表示が可能な液晶表示素子２０である場合には、前記法線方向からの光Ｌ１において、例えばコントラスト値数千を実現することができる。
【００３３】
（法線方向からの光）
ここで、高いコントラスト値を実現するためには、特に、液晶層２２がオフの際のオフ光量を低下させることが重要である。
【００３４】
この点、液晶表示素子２０に対して法線方向から入射した光Ｌ１は、低いオフ光量を実現しやすい。
【００３５】
これは、液晶表示素子２０に対して法線方向から入射する光Ｌ１は、前記各偏光板（第１偏光板３４・第２偏光板３６）、前記各位相差板（第１位相差板３０・第２位相差板３２）及び液晶層２２等に垂直に入射するため、当初の設計通りに光Ｌ１が変化・進行することによる。
【００３６】
（傾斜光）
これに対し、例えば前記バックライトユニット６０から斜め方向に出射し、前記液晶表示素子２０に対して斜め方向から入射した光（傾斜光）Ｌ２は、前記光Ｌ１とは相違し、コントラスト値低下の要因となる場合がある。以下説明する。
【００３７】
すなわち、液晶層２２がオフにされた状態において、前記液晶表示装置１０をその法線方向から観る観者Ｖに対し、通常、前記傾斜光Ｌ２は、観者Ｖの目には入らない。
【００３８】
そのため、前記傾斜光Ｌ２によるコントラスト値の低下は発生しないのが原則である。
【００３９】
（光の折れ曲がり）
しかしながら、前記傾斜光Ｌ２の進行方向が変化する場合がある。具体的には、前記光Ｌ２の光路が、前記液晶表示素子２０内で折れ曲がり、前記観者Ｖの方向に進む場合がある（図１５の矢印Ｌ３参照）。
【００４０】
この、光が液晶表示素子２０内で折れ曲がる原因としては、種々の理由が考えられるが、例えば、液晶層２２内での散乱や、カラーフィルター（図示せず）やＴＦＴ基板（図示せず）内での散乱などが挙げられる。
【００４１】
そして、前記液晶表示素子２０に対して斜め方向から入射し、前記液晶表示素子２０を斜め方向に横切る光は、液晶層２２がオフの状態であっても、ある程度の明るさ（光量）を有して前記液晶表示素子２０から出射することがある。そして、この光が、液晶層２２がオフ状態における光漏れとなる。
【００４２】
（光漏れ）
これは、液晶表示素子２０に対して、法線方向から入射する光Ｌ１と、前記傾斜光Ｌ２とでは、各光学板（位相差板や偏光板など）や液晶層２２等を透過する際の光路長が相違し、そのため、所望の光学変化が得られないためである。すなわち、液晶表示素子２０の光学特性に関する角度依存性が光漏れの原因となる。
【００４３】
詳しくは、前記液晶表示素子２０における位相差板（第１位相差板３０・第２位相差板３２）や偏光板（第１偏光板３４・第２偏光板３６）や液晶層２２等は、前記液晶表示素子２０に対して法線方向から入射した光に対して、その前記オン光量及びオフ光量が最適化、すなわちオン光量が多く、オフ光量が少なくなるように設計されている。
【００４４】
特にオフ光量に関して、液晶表示素子２０に対して法線方向から入射した光について、その光が最大に遮断されるように、液晶表示素子２０は光学設計されている。
【００４５】
したがって、前記傾斜光は、液晶層２２がオフ状態であっても、十分には遮断されず、その結果、光漏れとして液晶表示素子２０から外部に出射される。
【００４６】
そして、かかる光漏れは、上記高コントラストでの表示が可能な液晶表示素子が備えられた液晶表示装置においては、特に問題となっている。
【００４７】
そこで本発明は、前記の問題点に鑑みてなされたものであり、その目的は、面光源としての機能を維持した上で、より高コントラストでの表示を可能とするバックライトユニット、液晶表示装置を提供することにある。
【００４８】
より具体的には、液晶表示素子に入射しコントラスト低下の要因となる前記傾斜光の強度を抑制することが可能なバックライトユニット及び液晶表示装置を提供することにある。
【００４９】
本発明のバックライトユニットは、前記課題を解決するために、
導光板と拡散性シートとが備えられ、出射面から出射される光が液晶表示素子を照らすバックライトユニットであって、
前記出射面から出射される光の半値幅が４４度以下であることを特徴とする。
【００５０】
また、本発明のバックライトユニットは、
前記半値幅が２０度以上４０度以下であることが好ましい。
【００５１】
（半値幅）
まず、半値幅について説明する。バックライトユニットなど半値幅を測定する測定サンプルについて、その出射面から法線方向に出射した光に対して光の強度が半分になる傾斜角度を半値幅（度）とする。これは、出射される光の強度が、法線方向から傾斜するにつれ弱くなるとの特性に基づくものである。
【００５２】
そして、前記の構成よれば、バックライトユニットの半値幅が４４度以下、好ましくは、２０度以上４０度以下であるため、面光源としての機能を維持した上で、より高コントラストでの表示を可能とするバックライトユニットを実現することができる。以下、説明する。
【００５３】
（液晶表示素子の設計）
バックライトユニットから光が照射される液晶表示素子は、一般に、液晶表示素子の裏面の法線方向から光が入射し、かかる光が表面の法線方向に出射する場合に、そのコントラストが最大となるように設計されている。具体的には、液晶表示素子に備えられる偏光板や位相差板などの光学部材、及び液晶層等の光学特性などが、かかる場合のコントラストが高くなるように設計されている。
【００５４】
（面光源としてのバックライトユニット）
他方、液晶表示素子の表示において、面内で均一な明るさを有する表示を実現するために、バックライトユニットには、その出射面において、面内均一な光を出射することが望まれている。言い換えると、バックライトユニットには、面光源としての機能が要求されている。
【００５５】
そして、バックライトユニットには、前記面光源として機能するために、一般に、光を拡散させるための拡散性シートが備えられている。
【００５６】
そのため、バックライトユニットの出射面から出射する光は、前記拡散性シートで拡散することで、通常、種々の方向を向いている。
【００５７】
したがって、バックライトユニットから出射し、液晶表示素子に入射する光には、法線方向から入射する光のみならず、法線方向から傾斜した方向から入射する光である傾斜光も含まれることになる。
【００５８】
なお、上記拡散性シートとは、光線を拡散させる機能をもつシートを総称するものである。
【００５９】
（コントラスト低下）
そして、先に説明した通り、液晶表示素子のコントラスト設計は、法線方向から入射した光を前提としているため、前記傾斜光が、例えば、前記液晶表示素子内部で屈折し、液晶表示素子の法線方向に出射した場合には、その出射光は所望の明るさ（白又は黒）を有しておらず、その結果、コントラストの低下を招きやすい。
【００６０】
この点、前記の構成のバックライトユニットは、出射光の拡散（散乱）特性示す半値幅が、適切な値に設定されているので、出射光が面光源として機能するための散乱性を有した上で、前記コントラスト値の低下を招く傾斜光の強度が抑制されている。
【００６１】
以上より、上記構成は、面光源としての機能を維持した上で、より高コントラストでの表示を可能とするバックライトユニット、より具体的には、前記傾斜光の光量を抑制することが可能なバックライトユニットを提供することができるという効果を奏する。
【００６２】
また、前記構成のバックライトユニットでは、出射光の拡散特性が適切に設定されているので、液晶表示素子の画素との相互作用などにより発生するモアレの発生を抑制することができる。
【００６３】
また、本発明のバックライトユニットは、
前記拡散性シートのヘイズ値が、８０％以下であることが好ましい。
【００６４】
前記の構成によれば、拡散性シートのヘイズ値が５０％以上８０％以下であるので、出射面から出射される光の半値幅が２８度以上４４度以下であるバックライトユニットを容易に形成することができる。
【００６５】
また、本発明のバックライトユニットは、
前記拡散性シートのヘイズ値が、３０％以上７６％以下であることが好ましい。
【００６６】
前記の構成によれば、拡散性シートのヘイズ値が８０％以下であるので、出射面から出射される光の半値幅が２０度以上４０度以下であるバックライトユニットを容易に形成することができる。
【００６７】
また、本発明のバックライトユニットは、
前記導光板と前記拡散性シートとの間には、プリズムシートが設けられていることが好ましい。
【００６８】
前記の構成によれば、プリズムシートが設けられているので、所望の方向、例えば、バックライトユニットの法線方向に対してより明るい出射を実現することができる。
【００６９】
ここで、プリズムシートとは、プリズムシートを透過した光の進行方向を制御するために、その表面に、一定方向の溝が形成されてなる光学シートを意味する。
【００７０】
また、本発明の液晶表示装置は、
液晶表示素子の裏面に、前記バックライトユニットが設けられていることが好ましい。
【００７１】
前記の構成によれば、半値幅が適切に設定されたバックライトユニットが備えられているので、高コントラストの表示が可能となる。
【００７２】
また、本発明の液晶表示装置は、
前記液晶表示素子と前記バックライトユニットとの間に、輝度向上フィルムが備えられていることが好ましい。
【００７３】
前記の構成によれば、輝度向上フィルムが設けられているため、コントラストが低下しやすいところ、バックライトユニットの半値幅が適切に設定されているので、高コントラストの表示が可能となる。
【００７４】
なお、輝度向上フィルムとは、例えば、当該輝度向上フィルムに到達した偏光をｐ波とｓ波とに分けた場合、そのうちの一方の偏光のみ、例えばｐ波のみを透過させ、残るｓ波を反射させるなどして、例えば隣接する偏光板に対する入射光を増加させる作用等を有するフィルムのことを意味する。
【００７５】
また、本発明の液晶表示装置は、
前記液晶表示素子が垂直配向型であり、
前記液晶表示素子に含まれる液晶層が、平面視において、複数の異なる配向領域に分割されていることが好ましい。
【００７６】
前記の構成によれば、液晶表示素子が、いわゆるＭＶＡモードとして構成されている。ここで、前記ＭＶＡモードの液晶表示素子は、一般に高コントラストでの表示が可能である。
【００７７】
したがって、半値幅が適切に設定されたバックライトユニットを組み合わされることにより、当該液晶表示素子が本来有する高コントラスト特性を大きく損なわない表示が可能となる。
【００７８】
また、本発明の液晶表示装置は、
前記液晶表示素子が垂直配向型であり、
前記液晶表示素子に含まれる液晶層の液晶分子が、平面視において、全方位方向に配向しており、
前記液晶層の両面に、円偏光板が備えられている。
【００７９】
また、本発明の液晶表示装置は、
前記液晶表示素子をねじれネマチック型としてもよい。
【００８０】
前記の構成によれば、液晶表示素子が、垂直配向モードの円偏光タイプ、又は、いわゆるＴＮモードとして構成されている。
【００８１】
ここで、上記垂直配向モードの円偏光タイプ及びＴＮモードの何れの液晶表示素子においても、液晶表示素子に入射した上記傾斜光が、液晶表示素子の法線方向に出射することによるコントラストの低下が生じる。
【００８２】
この点、前記各構成によれば、半値幅が適切に設定されたバックライトユニットが組み合わされることにより、液晶表示素子の前記コントラストの低下を抑制することができる。
【００８３】
本発明のバックライトユニットは、以上のように、出射面から出射される光の半値幅が４４度以下であることを特徴とするものである。
【００８４】
それゆえ、面光源としての機能を維持した上で、より高コントラストでの表示を可能とするバックライトユニット、より具体的には、液晶表示素子に入射しコントラスト低下の要因となる前記傾斜光の強度を抑制することが可能なバックライトユニット及び液晶表示装置を提供することができるという効果を奏する。
【図面の簡単な説明】
【００８５】
【図１】本発明の実施の形態を示すものであり、液晶表示装置の断面図である。
【図２】本発明の実施の形態を示すものであり、バックライトユニットの断面を示す斜視図である。
【図３】光学特性の測定系を示す図である。
【図４】極角と透過光強度との関係を示す図である。
【図５】入射角度と透過光強度との関係を示す図である。
【図６】本発明の他の実施の形態を示すものであり、液晶表示装置の断面図である。
【図７】バックライトユニットからの出射光の輝度分布を示す図である。
【図８】バックライトユニットからの出射光の輝度分布を示す図である。
【図９】液晶表示装置からの出射光について、輝度向上フィルムの有無による差を示す図である。
【図１０】実施例と比較例とについて、バックライトユニットからの出射特性を示す図である。
【図１１】半値幅等の測定サンプルの概略構成を示す断面図である。
【図１２】実施例と比較例とについて、コントラスト値を示す図である。
【図１３】各液晶モードにおける光の散乱特性を示す図である。
【図１４】垂直配向モードにおける、円偏光タイプと直線偏光タイプとの相違を示す図である。
【図１５】液晶表示装置の概略構成を示す断面図である。
【図１６】従来技術を示すものであり、液晶表示素子の構成を示す断面図である。
【図１７】従来技術を示すものであり、液晶表示素子の構成を示す断面斜視図である。
【図１８】従来技術を示すものであり、液晶表示素子の構成を示す断面斜視図である。
【符号の説明】
【００８６】
１０    液晶表示装置
２０    液晶表示素子
２２    液晶層
４０    輝度向上フィルム
６０    バックライトユニット
６４    導光板
６６    第１プリズムシート  （プリズムシート）
６８    第２プリズムシート  （プリズムシート）
７０    上拡散性シート      （拡散性シート）
７２    下拡散性シート
８０    出射面
Ｒ    配向領域
【発明を実施するための最良の形態】
【００８７】
〔実施の形態１〕
本発明の一実施の形態について各図に基づいて説明すると以下の通りである。【００８８】
（液晶表示装置）
本発明の液晶表示装置は、先に図１５に基づいて説明した液晶表示装置１０とほぼ同様の構成を有している。以下、本実施の形態の液晶表示装置の概略構成を示す断面図である図１に基づいて説明する。【００８９】
すなわち、前記液晶表示装置１０は、主に液晶表示素子２０とバックライトユニット６０とから構成されている。そして、バックライトユニット６０の出射面８０から出射した光が液晶表示素子２０に入射することにことにより、表示が行われる。【００９０】
（液晶表示素子）
まず、前記液晶表示素子２０について説明する。本実施の形態の液晶表示素子２０は、いわゆるＭＶＡモードとして構成されている。【００９１】
すなわち、対向する２枚の基板（図示せず）に挟持された液晶層２２は、第１偏光板３４及び第２偏光板３６に挟まれており、前記液晶層２２に含まれる液晶分子は、平面視において、例えば４分割配向等の分割配向をしている。【００９２】
（バックライトユニット）
つぎに、本実施の形態におけるバックライトユニット６０について説明する。本実施の形態のバックライトユニット６０には、光源（図示せず）と、前記図１に示すように、導光板６４、２枚の拡散性シート（上拡散性シート７０と下拡散性シート７２）、及び、２枚のプリズムシート（第１プリズムシート６６と第２プリズムシート６８）とが備えられている。そして、前記各部材は、導光板６４、下拡散性シート７２、第１プリズムシート６６、第２プリズムシート６８、上拡散性シート７０の順に重ねられている。【００９３】
詳しくは、図２に示すように、前記バックライトユニット６０において、前記第１プリズムシート６６と第２プリズムシート６８とには、その表面にそれぞれ三角形状の山と谷とからなる直線状の溝が形成されている。【００９４】
そして、前記第１プリズムシート６６と前記第２プリズムシート６８とでは、前記溝の方向が直交している。【００９５】
なお、前記図２は、本実施の形態におけるバックライトユニット６０の構成を示す斜視断面図である。【００９６】
（拡散性シート）
つぎに、本実施の形態における拡散性シートについて説明する。【００９７】
本実施の形態における前記上拡散性シート７０は、その拡散性シートを用いたときのバックライトユニット６０において、その出射光の半値幅が３１度となる点が特徴である。以下、説明する。【００９８】
（半値幅）
まず、上記半値幅を測定するための測定系の概略を図３の（ａ）に示す。図３の（ａ）は、バックライトユニット６０等の測定サンプルからの出射光の強度等を測定するための測定系を示す図である。【００９９】
図３の（ａ）に示すように、前記半値幅の測定に用いる測定系では、測定サンプルから出射する光を、方位角・極角ともに１度刻みに分解し、全角度の強度を同時に測定することができる。そして、かかる測定結果から特定方位のデータを数値で抽出し、「極角」対「輝度またはコントラスト」の２次元グラフを作成する。そして、それに基づいて、出射光の強度が、法線方向に出射した光の半分になる傾斜角度である半値幅を求める。すなわち、傾斜方向に出射する光の強度が、法線方向に出射する光の強度の半分となる出射光の出射角度を求める。【０１００】
なお、上述のような測定を行うための測定器としては、特には限定されないが、例えば、ＥＬＤＩＭ社製のＥＺｃｏｎｔｒａｓｔ８８（商品名）を用いて測定を行うことができる。【０１０１】
そして、バックライトユニット６０の半値幅の測定は、前記測定サンプルをバックライトユニット６０とすることにより行われる。【０１０２】
（上拡散性シート）
ここで、本実施の形態においては、上述のように、上拡散性シート７０に、バックライトユニット６０からの出射光の半値幅が３１度となるような拡散性シートが用いられている。以下、具体的に説明する。【０１０３】
前記半値幅は、前記図２に概略構成を示したバックライトユニット６０を前記測定サンプルとして測定したものである。【０１０４】
すなわち、導光板６４、下拡散性シート７２、第１プリズムシート６６、第２プリズムシート６８、及び、上拡散性シート７０が、かかる順に重ねられた状態で、前記受光強度の測定を行ったものである。【０１０５】
ここで、方位角（φ）＝０度は、前記図３の（ｃ）に示したように定義する。そのとき、前記第１プリズムシート６６及び第２プリズムシート６８の前記溝方向は、４５度と１３５度とである。【０１０６】
そして、上記条件下においてバックライトユニット６０の半値幅を測定したところ、半値幅（０〜３６０度）＝３１度であった。【０１０７】
なお、前記実施の形態においては、前記上拡散性シート７０は、ヘイズ値＝５５．０％の拡散性シートを用いた。また、下拡散性シート７２については、ヘイズ値＝７４．５％の拡散性シートを用いた。【０１０８】
（表示特性）
上記の構成により、本実施の形態の液晶表示装置１０では、高品位な表示とともに、高コントラストな表示が可能となる。以下、説明する。【０１０９】
（面内均一性）
まず、液晶表示装置１０においては、その面内で均一な明るさの表示を実現するために、バックライトユニット６０から面内において均一な明るさを有する光が出射されることが好ましい。すなわち、バックライトユニット６０は、均一な面光源であることが好ましい。【０１１０】
そして、かかる出射特性を実現するためには、バックライトユニット６０から出射される光の拡散性が高いことが望まれる。そして、かかる拡散特性を実現するためには、バックライトユニット６０に設けられる拡散性シートの拡散性を高くすることが考えられる。【０１１１】
（コントラスト）
つぎに、液晶表示装置１０のコントラストについて説明する。【０１１２】
先に説明したとおり、液晶表示装置１０には、前記面内での均一な明るさの表示に加えて、高コントラストな表示も要求されている。【０１１３】
そして、液晶表示素子２０は、高コントラストでの表示が可能なように設計されるので、前記傾斜光は、コントラストを低下させる要因となりやすい。【０１１４】
そして、このような傾斜光に起因するコントラストの低下は、高コントラストな表示が可能な、例えばＭＶＡモードの液晶表示素子２０が備えられた液晶表示装置１０等においてより顕著となる。【０１１５】
（コントラストの低下、パネルの影響）
つぎに、傾斜光よるコントラストの低下について、より詳しく説明する。【０１１６】
先に説明した通り、バックライトユニット６０から出射した光は、２枚の偏光板と、液晶層とを通過して観者Ｖに至る。【０１１７】
そこで、前記傾斜光に起因する光漏れに対する、液晶表示パネルの影響について説明する。ここで、前記液晶表示パネルとは、前記液晶表示素子２０において、２枚の偏光板（第１偏光板及び第２偏光板）を取り除いたものを意味する。具体的には、液晶層２２が、カラーフィルターやスイッチング素子などが作りこまれた２枚の基板により挟持されたものを意味する。【０１１８】
図４は、２種類（第１及び第２）の測定サンプルについて、前記傾斜光に対する測定サンプルの表示面に対して法線方向の透過光強度を示す図である。【０１１９】
具体的には、第１の測定サンプルは、ガラス基板の両面に各々偏光板が１枚づつ、互いの偏光板の吸収軸が直交するように貼合されたもの（図４における、「ガラス＋偏光板」）であり、第２の測定サンプルは、液晶表示素子（前記液晶表示パネルに偏光板が貼合されたもの（図４における、「パネル＋偏光板」で、液晶表示パネルは黒を表示している状態）である。【０１２０】
そして、図４は、かかる２つの測定サンプルについて、入射光の角度（極角（θ））と、透過光強度との関係を示している。【０１２１】
なお、前記「ガラス＋偏光板」及び「パネル＋偏光板」のいずれにおいても、前記２枚の偏光板の配置は、２枚の偏光板の吸収軸が互いに直交するクロスニコル配置とした。また、裏偏光板（測定の際、入射側に位置する偏光板）の吸収軸は、方位角（φ）＝０度の方向に向けられている。【０１２２】
また、裏偏光板のさらに外側には、輝度向上フィルムとして、日東電工社製のＡ−ＰＣＦ（Ｐｏｌａｒｉｚａｔｉｏｎ  Ｃｏｎｖｅｒｓｉｏｎ  Ｆｉｌｍ）（商品名）が設けられている。【０１２３】
（測定系（散乱、光の折れ曲がり測定））
ここで、図４などに結果を示した光の折れ曲がり特性を測定するための測定系について説明する。【０１２４】
図３の（ｂ）は、透過光に対する光学特性を測定するための測定系を示す図である。【０１２５】
図３の（ｂ）に示す測定系では、測定サンプルの裏面から光を入射させ、測定サンプルを透過した光を、測定サンプルの表面に設けられた受光器により受光し、その強度を測定する。【０１２６】
ここで、図３の（ｂ）に示すように、測定サンプル平面について、法線方向からの傾斜角度を極角（θ）とし、前記図３の（ｃ）に示すように、測定サンプル平面について、その平面上における水平方向からの左周りの回転角度を方位角（φ）とする。【０１２７】
そして、前記測定系において、入射光の入射方向は、図３の（ｂ）に示すように、極角（θ）方向に傾斜させることができるとともに、その傾斜させた状態で、前記方位角（φ）の方向に回転させることができる。【０１２８】
他方、受光器は、極角（θ）＝０度（方位角（φ）＝０度）の位置、言い換えると測定サンプル平面の法線方向に固定されている。【０１２９】
なお、上述のような測定を行うための測定器としては、特には限定されないが、例えば大塚電子製のＬＣＤ５２００（商品名）を用いて測定を行うことができる。【０１３０】
（測定結果）
図４に示すように、入射光を測定サンプルの法線方向から傾斜させていくと、２つの測定サンプル（「ガラス＋偏光板」、「パネル＋偏光板」）ともに透過光強度は減少する。【０１３１】
ただし、その減少の割合は、「ガラス＋偏光板」の方が大きい。言い換えると、「ガラス＋偏光板」に液晶表示パネルが加えられた「パネル＋偏光板」においては、前記傾斜光が、法線方向（極角（θ）＝０度方向）に出射しやすい。【０１３２】
これは、測定サンプルに入射した光が、液晶表示パネル内部で進行方向を変化させやすい（液晶表示パネル内部で散乱されやすい）ためである。【０１３３】
そして、傾斜光が液晶表示パネル内部での光の進行方向の変化させ、法線方向に出射することにより、コントラストの低下が招かれる。【０１３４】
なお、図４に示す測定結果は、前記入射光を、方位角（φ）＝０度の方向、すなわち、裏偏光板の吸収軸と平行な方向に傾斜させたものである。【０１３５】
（入射光のθ、φ依存性）
つぎに、傾斜光の法線方向への透過のしやすさについて、その方位角（φ）依存性を、図５に基づいて説明する。図５は、図３の（ｂ）に示した測定系を用いて方位０度から３６０度まで５度刻みで同様に測定し、その結果を極座標表示した図である。図５は、前記「パネル＋偏光板」と同様の測定サンプルについて、入射光の極角（θ）と方位角（φ）とを変化させた場合の、前記透過光強度を示す図である。【０１３６】
すなわち、図５に示す測定に用いた測定サンプルは、液晶表示パネルの両面（表裏面）に偏光板がクロスニコル配置で貼合されたものであり、また、裏偏光板（測定の際、入射側に位置する偏光板）の吸収軸は、方位角（φ）＝９０度の方向に向けられている。【０１３７】
前記図５に示すように、極角（θ）＝０〜７０度の範囲内においては、ほぼすべての方位角（φ）において、傾斜光が法線方向に出射することが分かる。【０１３８】
また、特には、方位角（φ）４５度、１３５度、２２５度及び３１５度において、傾斜光が法線方向に出射しやすいことが分かる。【０１３９】
（傾斜光の挙動）
以上のように、液晶表示素子２０においては、傾斜光がその進行方向を変化させ、法線方向、すなわち、液晶表示装置１０の観者Ｖの方向に出射する場合がある。また、先に説明したとおり、傾斜光は、液晶表示素子２０を透過する際の光路長の相違などから、法線方向から入射する光と比べ、異なる挙動を示しやすい。具体的には、例えば液晶層２２がオフの状態（液晶層２２がオフの状態とは、液晶表示素子が黒表示をしている場合すなわち透過率が最も低くなる状態）であっても、光が十分遮断されない場合がある。【０１４０】
その結果、液晶表示素子が黒表示の場合に、傾斜光が、光漏れとして法線方向に出射し、観者Ｖの目に入る。【０１４１】
したがって、高いコントラストを実現するためには、傾斜光を法線方向に出射しにくいようにすることが望まれる。【０１４２】
この点、本実施の形態の液晶表示装置１０では、前記半値幅が３１度である。すなわち、バックライトユニット６０から出射する光の散乱度合いが適切に制御されている。【０１４３】
そのため、前記傾斜光の強度を適切に抑制することができる。【０１４４】
また、先に説明した液晶表示素子２０の面内で均一な明るさを実現するための十分な散乱度合いを有している。【０１４５】
したがって、先に説明した液晶表示素子２０の面内での均一な明るさの表示と、高コントラストの表示とを実現することができる。【０１４６】
また、液晶表示素子２０の画素のピッチ、より具体的には、画素を画するブラックマトリックスとバックライトユニットの拡散性シートやプリズムシートなどとの相互作用により発生する「モアレ」の発生も抑制することができた。【０１４７】
〔実施の形態２〕
本発明の他の実施の形態について各図に基づいて説明すれば、以下の通りである。なお、本実施の形態において説明すること以外の構成は、前記実施の形態１と同じである。【０１４８】
また、説明の便宜上、前記の実施の形態１の図面に示した部材と同じ機能を有する部材については、同じ符号を付し、その説明を省略する。【０１４９】
本実施の形態の液晶表示装置１０には、前記実施の形態１の液晶表示装置１０の構成に加えて、輝度向上フィルム４０が備えられている。【０１５０】
すなわち、本実施の形態の液晶表示装置１０の概略構成を示す断面図である図６に示すように、本実施の形態の液晶表示装置１０では、２枚の偏光板（第１偏光板３４及び第２偏光板３６）のうち、バックライトユニット６０に近いほうの偏光板である前記第１偏光板３４と、前記バックライトユニット６０との間に、輝度向上フィルム４０としての、日東電工社製のＡ−ＰＣＦ（Ｐｏｌａｒｉｚａｔｉｏｎ  Ｃｏｎｖｅｒｓｉｏｎ  Ｆｉｌｍ、商品名）が設けられている。【０１５１】
（輝度向上フィルム）
ここで、輝度向上フィルム４０とは、例えばつぎに示す仕組みなどにより、隣接する偏光板に対する入射光を増加させる作用を有するフィルムのことを意味する。【０１５２】
かかる仕組みとしては、例えば、当該輝度向上フィルム４０に到達した偏光をｐ波とｓ波とに分けた場合、そのうちの一方の偏光のみ、例えばｐ波のみを透過させ、残るｓ波を反射させる。そして、反射した前記ｓ波が再び輝度向上フィルム４０に到達した際、その一部がｐ波に変化しており、かかるｐ波を透過させる。このような作用を繰り返し、例えばｐ波のみを選択的に透過させるというものである。【０１５３】
なお、前記輝度向上フィルム４０としては、前記Ａ−ＰＣＦ（商品名）に限定されるものではなく、例えば、住友３Ｍ社製のＤ−ＢＥＦ（商品名、Ｂｒｉｇｈｔｎｅｓｓ  Ｅｎｈａｎｃｅｍｅｎｔ  Ｆｉｌｍの略称）などを用いることもできる。また、この輝度向上フィルムは、偏光反射フィルムや偏光ミラーフィルムなどと呼ばれる場合もある。【０１５４】
（輝度向上フィルムと出射光）
ここでまず、バックライトユニット６０からの出射光に関して、前記輝度向上フィルム４０の有無よる輝度特性の差異について、図７の（ａ）及び（ｂ）に基づいて説明する。【０１５５】
図７の（ａ）及び（ｂ）は、バックライトユニット６０からの出射光の輝度分布を示す図である。【０１５６】
詳しくは、図７の（ａ）は、前記図１に示したバックライトユニット６０、すなわち、導光板６４、下拡散性シート７２、第１プリズムシート６６、第２プリズムシート６８、及び、上拡散性シート７０の積層体を測定サンプルとしている。そして、前図は、その測定サンプルからの出射光に関して、方位角（φ）及び極角（θ）依存性を示している。【０１５７】
他方、図７の（ｂ）は、前記図７の（ａ）の測定サンプルに、輝度向上フィルム４０としての前記Ａ−ＰＣＦを重ねたものを測定サンプルとし、そこからの出射光角度分布、前記図７の（ａ）と同様に、方位角（φ）及び極角（θ）依存性を示したものである。【０１５８】
前記図７の（ａ）及び（ｂ）に示すように、バックライトユニット６０からの法線方向への出射光は、輝度向上フィルム４０が設けられることにより、言い換えると、輝度向上フィルムを透過することで、より広い傾斜範囲の入射光に対して、その輝度が向上している。【０１５９】
すなわち、ほぼ全方位角（φ）範囲における広い極角（θ）範囲から出射している。【０１６０】
そして、このＡ-ＰＣＦ（輝度向上フィルム４０）ありでのバックライト輝度の上昇は、特には、傾斜の角度（極角（θ））＝３０〜７０度の範囲で顕著である。【０１６１】
以上より、輝度向上フィルム４０が、バックライトユニット６０と、液晶表示素子２０における前記第１偏光板（バックライトユニット６０側の偏光板）との間に設けられた場合、前記液晶表示素子２０に対して、傾斜光の入射が増加することが分かる。【０１６２】
（液晶表示装置からの出射光）
つぎに、液晶表示装置１０からの法線方向への出射光について、入射光の方位角（φ）及び極角（θ）に対する依存性を、図８の（ａ）及び（ｂ）に基づいて説明する。【０１６３】
ここで図８の（ａ）は、前記図１にその概略構造を示した実施の形態１にかかる液晶表示装置１０を測定サンプルとして、法線方向での受光強度を測定したものである。【０１６４】
他方、図８の（ｂ）は、前記図６にその概略構造を示した本実施の形態の液晶表示装置１０（実施の形態１の液晶表示装置１０に輝度向上フィルム４０としてのＡ−ＰＣＦが加えられたもの）を測定サンプルとしたものである。【０１６５】
すなわち、図８の（ａ）及び（ｂ）は、液晶表示装置１０からの法線方向に対する出射光強度の、入射光の傾斜角度についての方位角（φ）及び極角（θ）依存性について、輝度向上フィルム４０の有無による差異を示すものである。【０１６６】
なお、測定系など、前記受光強度測定に関する条件等は、前記図３の（ｂ）及び（ｃ）に基づいて説明した測定系等に準じている。【０１６７】
前記図８の（ａ）及び（ｂ）に示すように、輝度向上フィルム４０が設けられることにより、方位角（φ）＝４５度、１３５度、２２５度及び３１５度において、特に極角（θ）＝３０〜７０度で入射した光が法線方向に出射しやすいことが分かる。【０１６８】
図９は、液晶表示装置１０から、法線方向に対して出射した光に関して、前記輝度向上フィルム４０の有無による差（輝度向上フィルム４０有りでの出射光強度から、同条件での、輝度向上フィルム４０無しでの出射光強度を差し引いたもの）を示した図である。【０１６９】
前記図９に示すように、輝度向上フィルム４０が設けられることにより、方位角（φ）＝４５度、１３５度、２２５度及び３１５度において、特に極角（θ）＝５０度近傍から入射した光が、より法線方向に出射しやすくなることが分かる。【０１７０】
そして、かかる傾斜光が液晶表示装置１０の法線方向に出射することにより、先に説明したように、コントラスト値の低下が生じやすい。【０１７１】
なお、図９に示す測定についても、その測定系及び、出射強度差を求めるための測定サンプルなどは、先に説明したものに準じる。また、本測定は、液晶表示装置１０が黒表示を行っている際のものである。【０１７２】
（本実施の形態の液晶表示装置）
この点、本実施の形態の液晶表示装置１０においては、前記実施の形態１における液晶表示装置１０と同様に、バックライトユニット６０から出射される光の半値幅が３１度となるような、バックライトユニット６０が用いられている。【０１７３】
したがって、液晶表示装置１０に輝度向上フィルム４０が備えられていても、面内で均一な明るさを有する表示と、高コントラストでの表示とを実現することができる。【０１７４】
（実施例、比較例）
以下、前記実施の形態１及び実施の形態２の構成を有する液晶表示装置１０について、すなわち、輝度向上フィルムが備えられていない液晶表示装置１０と備えられている液晶表示装置１０とについて、実施例と比較例とを示し、実施の内容及びその特性を具体的に説明する。【０１７５】
図１０は、各実施例及び比較例について、バックライトユニット６０単体、及び、バックライトユニット６０の出射側に輝度向上フィルム４０としての前記Ａ−ＰＣＦが設けられたものについての輝度分布及びコントラストを示す図である。以下、具体的に説明する。【０１７６】
各実施例及び比較例において、バックライトユニット６０及び液晶表示素子２０の構成は同じであり、上拡散性シート７０が相違する。【０１７７】
すなわち、実施例１では、上拡散性シート７０として、ツジデン社製の「Ｄ１５１ＳＩＩＩ」（製品名）を用い、同様に、実施例２では「Ｄ１２０ＳＩＩ」、比較例１では「Ｄ１１７ＵＥＳＩＩＩ」を、また、比較例１では「Ｄ１１４ＳＩＩＩ」を用いている。なお、上記各拡散性シートのヘイズ値は、「Ｄ１５１ＳＩＩＩ」が５５．０％、「Ｄ１２０ＳＩＩ」が７６．０％、「Ｄ１１７ＵＥＳＩＩＩ」が３２．５％、「Ｄ１１４ＳＩＩＩ」が８１．４％であった。【０１７８】
また、下拡散性シート７２は、比較例１・２、実施例１・２で同一のフィルム、ツジデン製の「Ｄ１２２Ｓ４」を使用している。【０１７９】
上記のような材料を拡散性シートとして用いたバックライトユニット等について、その半値幅等の光学特性を測定した。【０１８０】
ここで、前記光学特性の測定に用いた測定サンプルの断面構成は、図１１の（ａ）及び（ｂ）に示すものである。【０１８１】
すなわち、前記図１０における「バックライトユニット単体」又は「バックライトユニットＡ−ＰＣＦ無し」の測定サンプルは、前記図１１の（ａ）に示した断面構成を有している。【０１８２】
他方、前記図１０における「バックライトユニット＋Ａ−ＰＣＦ」又は「バックライトユニットＡ−ＰＣＦ有り」の測定サンプルは、前記図１１の（ｂ）に示した断面構成を有している。【０１８３】
ここで、前記図１１の（ａ）に示す測定サンプルの構成と、前記図１１の（ｂ）に示す測定サンプルの構成との相違は、輝度向上フィルム４０としてのＡ−ＰＣＦが備えられているか否かである。【０１８４】
（半値幅）
まず、半値幅について説明する。ここで半値幅は、前記図１１の（ａ）に示す測定サンプル、すなわち輝度向上フィルム４０が備えられていない構成の測定サンプルを用いて測定した。【０１８５】
図１０に示すように、方位角（φ）＝０〜３６０度の範囲内において、実施例１の半値幅は３１度、実施例２の半値幅は３３度、比較例１では２５度、比較例２では４５度であった。【０１８６】
（法線方向の光強度）
また、前記各実施例及び比較例について、輝度向上フィルム４０としてのＡ−ＰＣＦの有無（図１１の（ａ）及び（ｂ））別に、バックライトユニット６０としてのコントラスト、及び、法線方向に対する輝度についての入射角度（方位角（φ）及び極角（θ））依存性を測定した。【０１８７】
図１０に示すように、バックライトユニット６０からの出射光の半値幅や上拡散性シート７０のヘイズ値が大きくなるにつれて、広い極角（θ）範囲からの入射光が、バックライトユニット６０より法線方向に出射されることが分かる。【０１８８】
さらに、輝度向上フィルム４０の有無に関しては、輝度向上フィルム４０が備えられることにより、より広範囲の極角（θ）範囲からの入射光がバックライトユニット６０より出射されるようになることが分かる。【０１８９】
（コントラスト（バックライトユニット））
また、コントラストに関しては、バックライトユニット６０からの出射光の半値幅や上拡散性シート７０のヘイズ値が大きくなるにつれて、その値が小さくなる傾向がある。【０１９０】
また、輝度向上フィルム４０の有無に関しては、輝度向上フィルム４０が備えられることにより、コントラストが小さくなる傾向がある。【０１９１】
（コントラスト（液晶表示装置））
つぎに、前記各実施例及び比較例のバックライトユニット６０単体、又は、バックライトユニット６０に輝度向上フィルムが設けられたものに、液晶表示素子２０を組み合わせた液晶表示装置１０について、そのコントラストを測定した。【０１９２】
測定したコントラスト値を図１２に示す。図１２は、各実施例等について、液晶表示装置１０でのコントラスト値を示す図である。【０１９３】
また、液晶表示素子２０の画素ピッチとの相互作用により発生する「モアレ」についても、目視にて評価した。【０１９４】
（輝度向上フィルムなし）
まず、輝度向上フィルム４０としてのＡ−ＰＣＦが備えられていない構成について説明する。【０１９５】
図１２に示すように、前記半値幅が３１度である実施例１においては、モアレが発生せず、さらにモアレが発生するために実際は採用ができない比較例１と同等又は遜色の無いコントラスト値を実現することができた。【０１９６】
また、比較例２は、モアレは発生しないものの、コントラスト値が低かった。【０１９７】
（輝度向上フィルムあり）
つぎに、輝度向上フィルム４０としてのＡ−ＰＣＦが備えられている構成について説明する。【０１９８】
前記Ａ−ＰＣＦが備えられている構成では、輝度向上フィルム４０が備えられていない構成に比べて、全体的にコントラスト値が低下する。【０１９９】
これは、先に説明したとおり、輝度向上フィルム４０が備えられている場合には、傾斜光が法線方向に出射しやすいためであると考えられる。【０２００】
ここで、実施例１及び実施例２では、モアレが発生するために用いることができない比較例１に対して同等又は遜色のないコントラスト値を実現することができた。また、比較例２は、先の輝度向上フィルム４０なしの場合と同様に、モアレは発生しないものの、コントラスト値が低かった。【０２０１】
なお、本発明は前記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。【０２０２】
（液晶モード）
また、前記の説明では、液晶モードについて、ＭＶＡモードについて説明したが、本発明の液晶モードは、かかるものに限定されない。例えば他の液晶モードとしては、垂直配向モードにおいても、リベット等を用いて、液晶分子を分割配向ではなく、全方位配向させ、液晶層と各偏光板との間に、例えばλ／４などの位相差板を挿入した、いわゆる円偏光タイプを用いることもできる。なお、前記直線偏光タイプと円偏光タイプとの相違については、図１４に基づいて後述する。【０２０３】
また、垂直配向モード以外の、例えばＴＮ（Ｔｗｉｓｔｅｄ  Ｎｎｅｍａｔｉｃ：ねじれネマチック）モードや、ＩＰＳ（Ｉｎ  Ｐｌａｎｅ  Ｓｗｉｔｃｈｉｎｇ）モードなどに用いることもできる。【０２０４】
ここで、前記各液晶モードにおける、傾斜光の散乱特性について図１３の（ａ）〜（ｅ）に基づいて説明する。【０２０５】
ここで、図１３の（ａ）〜（ｅ）は、各液晶モードにおける光の散乱特性を示す図である。以下、具体的に述べる。【０２０６】
図１３の（ａ）は、参考として、ガラス板の両面に光軸が直交するような配置（クロスニコル配置）で偏光板を設けた測定サンプル、図１３の（ｂ）は、垂直配向モードの液晶表示素子における、先に説明した円偏光タイプの測定サンプル、図１３の（ｃ）は、前記ＩＳＰモードの液晶表示素子が備えられた測定サンプル、図１３の（ｄ）は、前記ＴＮモードの液晶表示素子が備えられた測定サンプル、図１３の（ｅ）は、前記実施の形態において説明した垂直配向モードの液晶表示素子における直線偏光タイプの測定サンプルについて、法線方向から出射される光の強度の、入射方向（方位角（φ）及び極角（θ））依存性を示している。なお、前記図１３の（ｂ）〜（ｅ）に示す特性は、各液晶表示素子が黒表示状態であるときのものである。【０２０７】
前記図１３の（ａ）〜（ｅ）に示すように、液晶層が存在する測定サンプル（図１３の（ｂ）〜（ｅ）参照）では、液晶層が存在しないガラス板及び偏光板のみの測定サンプル（図１３の（ａ）参照）と比較して、傾斜光が法線方向に出射しやすい。【０２０８】
したがって、先に説明したとおり、バックライトユニット６０から出射される光の半値幅を制御することにより、液晶モードにかかわらず、モアレ等の発生を抑制しながら、コントラストの低下を抑制することが可能となる。【０２０９】
また、前記図１３の（ｅ）に示すように、ＭＶＡモードなどの垂直配向モードにおける直線偏光タイプが、より傾斜光を法線方向に出射しやすい。その結果、前記のタイプでは、本発明による、コントラスト低下を抑制する効果が、より大きく発揮される。【０２１０】
ここで、垂直配向モードにおける、円偏光タイプと直線偏光タイプとの相違を示す図である図１４に基づいて、上記２タイプについて説明する。【０２１１】
前記図１４に示すように、垂直配向モードにおける円偏光タイプでは、液晶層の液晶（液晶分子）が、リベット等の突起を中心として全方位に向かって配向している。【０２１２】
これに対して直線偏光タイプでは、液晶層は、平面視において、複数の配向領域Ｒに分割されている。ここで配向領域Ｒとは、液晶（分子）の配向方向が、他の隣接する部分と異なる領域を意味する。前記図１４では、４分割された配向例を示している。【０２１３】
この液晶層の構成の相違に対応して、液晶表示素子の層構成も相違する。すなわち、直線偏光タイプでは、液晶層（液晶パネル）の両面には、各々偏光板が設けられるのみである。これに対して、円偏光タイプでは、λ／４板（円偏光板）等の位相差板が備えられる。【０２１４】
具体的には、例えば、液晶層（液晶パネル）の両面に各々位相差板が設けられた上で、さらにその各々の外側に偏光板が設けられる。【０２１５】
そして、垂直配向モードにおける直線偏光タイプと円偏光タイプとでは、一般に直線偏光タイプの方がコントラストが高く、その結果、本発明のバックライトがより効果的に作用しやすい。【０２１６】
なお、前記図１３の（ａ）〜（ｅ）に結果を示した光強度の測定における測定系などの測定条件は、先に図３の（ｂ）及び（ｃ）などに基づいて説明したものと同様である。【０２１７】
（その他）
また、前記の説明においては、プリズムシートの溝の形状が三角形状のものについて説明したが、プリズムシートの溝の形状は、かかる形状に限定されるものではない。他の例としては、溝の形状を丸みを帯びた半円形状の山と谷とにしてもよい。【０２１８】
また、前記の説明においては、前記プリズムシートは２枚用いたが、プリズムシートの枚数は、かかる枚数に限定されるものではなく、例えば、０枚や１枚などとすることもできる。【０２１９】
また、前記の説明においては、拡散性シートは、上拡散性シート７０と下拡散性シート７２との２枚を設けたが、上拡散性シート７０又は下拡散性シート７２の一方のみとすることもできる。【０２２０】
また、前記の説明においては、上拡散性シート７０と下拡散性シート７２とは、同じ材料を用いたが、上拡散性シート７０と下拡散性シート７２とで異なる材料を用いることもできる。
【産業上の利用可能性】
【０２２１】
本発明のバックライトユニット及び液晶表示装置は、高コントラストでの表示を可能とするので、高品位な表示が要求されるディスプレイ用途に好適に利用可能である。
【図１】
2009101746.tif 000003
【図２】
2009101746.tif 000004
【図３】
2009101746.tif 000005
【図４】
2009101746.tif 000006
【図６】
2009101746.tif 000007
【図１１】
2009101746.tif 000008
【図１２】
2009101746.tif 000009
【図１４】
2009101746.tif 000010
【図１５】
2009101746.tif 000011
【図１６】
2009101746.tif 000012
【図１７】
2009101746.tif 000013
【図１８】
2009101746.tif 000014
【図５】
2009101746.tif 000015
【図７】
2009101746.tif 000016
【図８】
2009101746.tif 000017
【図９】
2009101746.tif 000018
【図１０】
2009101746.tif 000019
【図１３】
2009101746.tif 000020
【国際調査報告】
2009101746.tif 000021
2009101746.tif 000022
2009101746.tif 000023
2009101746.tif 000024
2009101746.tif 000025